(57)【要約】【課題】  ユーザの要求に基づいて動画データに対して細かい単位でメタデータの貼り付けを行うことができる動画データ提供システムを提供する。【解決手段】  動画データ編集装置１１０のオーサリング部１１１はコンテンツ提供者の指示に基づいて編集したベース動画１１２と、メタデータと、これらの関連を表すデータとをサーバ１２０へ送信して記憶領域への書込みを要求する。サーバ１２０は動画データ編集装置１１０からデータを受信し、編集されたベース動画１１２を最終化動画１２１として、メタデータをメタデータ１２２として記憶領域に格納し、これらの関連を表すデータを記憶領域に格納する。専用プレイヤ部１４１はサーバ１２０に最終化動画１２１と、メタデータ１２２と、これらの関連を表すデータとの送信を要求してデータを受信し、再生する。汎用プレイヤ部１３１はサーバ１２０に最終化動画１２１の送信を要求してデータを受信し、再生する。【選択図】  図１
2005236621.tif 000002
【特許請求の範囲】
【請求項１】
動画データと、画像データとを記憶領域から読み出し、前記動画データの一部分と前記画像データとの関連付け情報を含むデータである素材インスタンスを生成し、前記動画データ中に前記画像データを配置し、ユーザが指定したメタデータと、前記画像データとの関連付けとの要求を受け、前記素材インスタンスと前記メタデータとの関連付け情報を含むデータであるメタデータインスタンスを生成し、前記動画データと、前記メタデータと、前記素材インスタンスと、前記メタデータインスタンスと、を記憶領域へ格納するオーサリング部を具備することを特徴とする動画データ編集装置。
【請求項２】
動画データと、メタデータと、前記動画データの一部分と画像データとの関連付け情報を含むデータである素材インスタンスと、前記素材インスタンスと前記メタデータとの関連付け情報を含むデータであるメタデータインスタンスとを外部から受信して前記動画データを再生し、前記ユーザから指示を受けた時、前記メタデータに対応する前記メタデータインスタンスに関連付けられた前記素材インスタンスが指す前記画像データの一部分を表示する専用プレイヤ部を具備することを特徴とする動画データ再生装置。
【請求項３】
動画データ編集装置のコンピュータに、
動画データと、画像データとを記憶領域から読み出す処理と、
前記動画データの一部分と前記画像データとの関連付け情報を含むデータである素材インスタンスを生成する処理と、
前記動画データ中に前記画像データを配置し、前記素材インスタンスとユーザが指定するメタデータとの関連付け情報を含むデータであるメタデータインスタンスを生成する処理と、
前記動画データと、前記メタデータと、前記素材インスタンスと、前記メタデータインスタンスとを記憶領域格納する処理と、
を実行させるプログラム。
【請求項４】
動画データ再生装置のコンピュータに、
動画データと、メタデータと、前記動画データの一部分に関する情報を含むデータである素材インスタンスと、前記素材インスタンスと前記メタデータとの関連付け情報を含むデータであるメタデータインスタンスとを外部から受信する処理と、
前記動画データを再生する処理と、
前記ユーザから指示を受けた時、前記メタデータに対応する前記メタデータインスタンスに関連付けられた前記素材インスタンスが指す前記画像データの一部分を表示する処理と、
を実行させるプログラム。
【発明の詳細な説明】
【技術分野】
【０００１】
本発明は、ユーザの要求に基づいて動画データに対して細かい単位でメタデータの貼り付けを行う動画データ提供システムに関するものである。
【背景技術】
【０００２】
図２は既存のメタデータについて説明している。メタデータとは、図２のように動画データに貼り付けられるテキストデータやイメージデータである。このメタデータについて、図３は従来技術における動画データとの関係を表している。図３のように、メタデータには絵的なものと、意味的なものとがあり、絵的なものは動画再生時に画面上に表示されるイメージデータであり、意味的なものは動画の意味を表すテキストデータである。そして、図４は従来の技術における動画データと、メタデータとの関連付けの方法を表している。従来の技術では、絵的なものを動画データ上で表示する際の座標および時間を表す情報と、動画データ中で意味的なものの対応する時間や表示する際の座標を表す情報とを含むデータであるメタデータインスタンスを用いて、動画データと、メタデータとの関連付けを行っている。
【０００３】
さらに、図５は従来の技術における絵的なものの動画データへの貼り付け方法を表している。図５のように、従来の技術では動画と、絵的なものである「ここ重要！」のビットマップ画像とをメタデータインスタンスで関連付け、メタデータインスタンスに含まれる時間と座標とに応じて動画を再生する際に「ここ重要！」を動画の上に重ねて表示していた。しかし、従来の技術では、メタデータの貼り付け対象は動画に固定されるため、メタデータのうち絵的なものに対して意味的なものを貼り付けることはできない問題点があった。この問題点は例えば、図６に表される従来技術におけるメタデータと動画データの関係に示される。図６ではメタデータのうち絵的なものであるシンボルと、メタデータのうち意味的なものであるテキストデータ「セクション名：テニスストローク講座」とを動画像を構成しないメタデータであるメタデータ素材としている。図６においては意味的なものである「セクション名：テニスストローク講座」は、シンボルを説明するものであって動画データを説明するものではない。
【０００４】
また、図７は従来のシステム構成を示している。図７において、コンテンツの提供者はベース動画に適宜画像データやテキストデータといったメタデータを追加してコンピュータの記憶領域に格納し、ユーザに公開していた。ユーザはベース動画と、メタデータとを閲覧するための専用のソフトウェアを使用する必要があった。また、ユーザは必要に応じてベース動画に対してコメントなどを表すメタデータを追加することができる。しかし、従来の技術では図５におけるシンボルと意味的なものである「ここ重要！」との関連を表すことはできず、つまり、意味的なものを絵的なものに関連付けるような細かい単位でのメタデータの貼り付けを行うことができない問題点があった。さらに、コンテンツを閲覧するため専用のソフトウェアを用意しなければならない点は、エンドユーザに負担を強いるという問題がある。
なお、本発明に対応する従来技術文献は見つかっていない。
【発明の開示】
【発明が解決しようとする課題】
【０００５】
本発明は上記の事情を考慮してなされたもので、その目的は、ユーザの要求に基づいて動画データにメタデータの貼り付けを行う場合に、メタデータのうち意味的なものを絵的なものに関連付けるような細かい単位でのメタデータの貼り付けも行うことができる動画データ提供システムを提供することにある。
【課題を解決するための手段】
【０００６】
この発明は前述の課題を解決するためになされたもので、請求項１の発明は、  動画データと、画像データとを記憶領域から読み出し、前記動画データの一部分と前記画像データとの関連付け情報を含むデータである素材インスタンスを生成し、前記動画データ中に前記画像データを配置し、ユーザが指定したメタデータと、前記画像データとの関連付けとの要求を受け、前記素材インスタンスと前記メタデータとの関連付け情報を含むデータであるメタデータインスタンスを生成し、前記動画データと、前記メタデータと、前記素材インスタンスと、前記メタデータインスタンスと、を記憶領域へ格納するオーサリング部を具備することを特徴とする動画データ編集装置である。
【０００７】
請求項２の発明は動画データと、メタデータと、前記動画データの一部分と画像データとの関連付け情報を含むデータである素材インスタンスと、前記素材インスタンスと前記メタデータとの関連付け情報を含むデータであるメタデータインスタンスとを外部から受信して前記動画データを再生し、前記ユーザから指示を受けた時、前記メタデータに対応する前記メタデータインスタンスに関連付けられた前記素材インスタンスが指す前記画像データの一部分を表示する専用プレイヤ部を具備することを特徴とする動画データ再生装置である。
【０００８】
請求項３の発明は、  動画データ編集装置のコンピュータに、動画データと、画像データとを記憶領域から読み出す処理と、前記動画データの一部分と前記画像データとの関連付け情報を含むデータである素材インスタンスを生成する処理と、前記動画データ中に前記画像データを配置し、前記素材インスタンスとユーザが指定するメタデータとの関連付け情報を含むデータであるメタデータインスタンスを生成する処理と、前記動画データと、前記メタデータと、前記素材インスタンスと、前記メタデータインスタンスとを記憶領域格納する処理と、を実行させるプログラムである。
【０００９】
請求項４の発明は、動画データ再生装置のコンピュータに、  動画データと、メタデータと、前記動画データの一部分に関する情報を含むデータである素材インスタンスと、前記素材インスタンスと前記メタデータとの関連付け情報を含むデータであるメタデータインスタンスとを外部から受信する処理と、前記動画データを再生する処理と、前記ユーザから指示を受けた時、前記メタデータに対応する前記メタデータインスタンスに関連付けられた前記素材インスタンスが指す前記画像データの一部分を表示する処理と、を実行させるプログラムである。
【発明の効果】
【００１０】
請求項１と、請求項３とによれば、動画データ中にメタデータのうち絵的なものを配置し、この絵的なものに意味的なものを貼り付けることができる効果がある。また、編集された動画データの中にはメタデータのうち絵的なものが含まれ、このデータは既存の動画再生ソフトウェアを使用することによって動画データ中のメタデータも見ることができるため、専用の装置やソフトウェアが必須ではなくなる効果がある。
また、請求項２と、請求項４との発明によれば、ユーザは動画データ中にメタデータのうち絵的なものを配置し、さらにこの絵的なものに意味的なものを貼り付けたものを参照できる効果がある。
【発明を実施するための最良の形態】
【００１１】
まず、本実施の形態の基本的な考え方を説明する。動画データと、メタデータ素材とを、図８と、図１３とに表されるようにメタデータのうち絵的なものにあたる動画素材と、動画データとを、動画データを特定するための識別情報である動画識別情報と、当該動画素材を動画データ上で表示する際の座標および時間との情報を含むデータである素材インスタンスによって関連付ける。また、素材インスタンスからメタデータ素材を特定できるように各々のメタデータ素材についての識別情報を含むデータであるメタデータ識別情報を生成し、素材インスタンスに格納する。さらに、素材インスタンスごとに識別情報を含むデータである素材インスタンス識別情報を生成する。
【００１２】
また、メタデータのうち意味的なものをメタデータ素材として、図９と、図１３とのようにメタデータインスタンスを介してメタデータ素材と、素材インスタンスとを関連付ける。このメタデータインスタンスは、メタデータ識別情報と、素材インスタンス識別情報とを含むデータであり、これによってメタデータ素材と、素材インスタンスとの対応付けを行う。
すなわち、本実施の形態では図１１のようにメタデータ素材である意味的なデータ「セクション名：テニスストローク講座」をメタデータインスタンスと、素材インスタンスとを経由して動画データ中に貼り付けられた絵的なものである「テニスストローク講座」に関連付けている。これによって、図１０に示すように、意味的なものである「ここ重要！」が絵的なもの（「テニスストローク講座」）に関係を持つことができるようになる。絵的なものに意味的なものを関連付けることができるため、細かな単位でのメタデータの貼り付けが可能となる。
【００１３】
次に、本実施の形態について説明する。本実施の形態の説明においては、例としてテニススクールにおける教材作成担当教官による電子教材の作成と、作成された電子教材に対して生徒が注意書きなどのためのメモであるメタデータの貼り付けとを行う場合とを想定する。
図１は本実施の形態のシステムの構成を表すブロック図である。動画データ編集装置１１０は教材作成担当教官が動画データの編集やメタデータの動画データへの貼り付けなどを行うためのコンピュータである。また、動画データ編集装置１１０の記憶部には、教材作成担当教官があらかじめ用意したメタデータのうち絵的なものにあたるデータが格納されている。
【００１４】
オーサリング部１１１は教材作成担当教官が使用する動画データやメタデータの編集用プログラムである。
ベース動画１１２（動画データ）は教材作成担当教官がユーザに配布する動画データやメタデータの作成の際の素となる動画データであり、動画データ編集装置１１０の記憶領域に格納されている。
サーバ１２０は教材作成担当教官が作成した動画データやメタデータを格納し、これらのデータを要求に応じて外部に送信するコンピュータである。
最終化動画１２１は教材作成担当教官がユーザへの配布のために動画データ編集装置１１０を使用して編集した動画データであり、サーバ１２０の記憶領域に格納されている。
【００１５】
メタデータ１２２は教材作成担当教官が動画データ編集装置１１０を使用して編集した最終化動画１２１に貼り付けられたメタデータであり、サーバ１２０の記憶領域に格納されている。また、メタデータ１２２と併せて、メタデータインスタンスと、素材インスタンスともサーバ１２０の記憶領域に格納される。
メタデータ１２３は生徒が動画データ再生装置１４０を使用して最終化動画１２１に貼り付けたメタデータであり、サーバ１２０の記憶領域に格納されている。
動画データ再生装置１３０と、動画データ再生装置１４０とはテニススクールの生徒が使用するコンピュータである。
汎用プレイヤ部１３１は最終化動画１２１をサーバ１２０から受信して再生する既存の動画再生用ソフトウェアである。この汎用プレイヤ部１３１はメタデータ１２２，１２３の再生を行うことはできない。
専用プレイヤ部１４１は最終化動画１２１と、メタデータ１２２と、メタデータ１２３とをサーバ１２０から受信して再生するソフトウェアである。この専用プレイヤ部１４１はメタデータ１２３を作成し、サーバ１２０へ送信する。
【００１６】
以下、図を参照して本実施形態における最終化動画作成処理と、最終化動画再生処理とを図１と、図８と、図９と、図１０と、図１３とを参照して説明する。図１０は教材作成担当教官が動画データ編集装置１１０を使用してコンテンツのデータ作成を行っている途中の画面を表している。
【００１７】
＜最終化動画作成処理＞
この処理では教材作成担当教官は図１の動画データ編集装置１１０を使用して、生徒が視聴するための教材用のデータである最終化動画１２１や、メタデータ１２２を作成する。
まず、教材作成担当教官は動画データであるベース動画１１２を指定して動画データ編集装置１１０のオーサリング部１１１にデータの作成開始を指示する。オーサリング部１１１は教材作成担当教官からの指示を受け、教材作成担当教官が指定したベース動画１１２を記憶領域から読み出し、ベース動画１１２の識別情報である動画識別情報を生成し、ベース動画１１２を再生しながら教材作成担当教官からの次の指示を待つ。
【００１８】
次に、教材作成担当教官は動画データ編集装置１１０の表示部を確認し、メタデータのうち絵的なものの一覧表示をオーサリング部１１１に指示する。オーサリング部１１１は教材作成担当教官の指示を受け、動画データ編集装置１１０の記憶領域からメタデータのうち絵的なものを読み出し、一覧を動画データ編集装置１１０の表示部に表示する。教材作成担当教官はメタデータのうち絵的なものである「テニスストローク講座」（画像データ）を選択し、オーサリング部１１１が再生を行っている動画データの上を指定し、図１０のように動画データの中に「テニスストローク講座」の貼り付けを、オーサリング部１１１に指示する。
【００１９】
オーサリング部１１１は教材作成担当教官の指示を受け、図８のように動画データと「テニスストローク講座」との関連付けを行うために１個の素材インスタンスと、この素材インスタンスに対応する素材インスタンス識別情報とを新たに生成し、教材作成担当教官の指示に基づいて「テニスストローク講座」を動画データ上に配置する座標と、動画データの最初から「テニスストローク講座」を表示し始めるまでの時間と、素材インスタンス識別情報と、動画識別情報とを素材インスタンスに設定し、記憶領域に書き込む。この結果、図１３のように動画素材と、動画とが素材インスタンスを介して関連付けられる。
次に、オーサリング部１１１は、教材作成担当教官の指定した動画データ上の座標と、表示する時間とに従い、動画データの一部分に「テニスストローク講座」をビットマップデータとして配置する。この処理は既存のオーサリングツールと同様である。
【００２０】
次に、教材作成担当教官は「セクション名：テニスストローク講座」という文字列を動画データ編集装置１１０へ入力し、図１０のように動画データにメタデータである意味的データとして「セクション名：テニスストローク講座」（ユーザが指定したメタデータ）を先ほどの「テニスストローク講座」のビットマップ画像へ関連付けることをオーサリング部１１１に指示する。
オーサリング部１１１は教材作成担当教官の指示を受け、「セクション名：テニスストローク講座」に対応するメタデータ識別情報を１個生成し、「セクション名：テニスストローク講座」をメタデータのうち意味的データとしてメタデータ識別情報とともに記憶領域に格納する。そして、オーサリング部１１１は図９のように動画データと、意味的データとして「セクション名：テニスストローク講座」と、「テニスストローク講座」のビットマップ画像との関連を認識し、メタデータインスタンスを生成し、「セクション名：テニスストローク講座」のメタデータ識別情報と、先ほど生成した素材インスタンス識別情報とをメタデータインスタンスに設定して記憶領域に書き込む。この結果、図１３のように「セクション名：テニスストローク講座」と、動画データ中に配置された「テニスストローク講座」とが素材インスタンスと、メタデータインスタンスとを介して関連付けられる。
教材作成担当教官は必要に応じて他のメタデータの絵的なものの動画データへの貼り付けや、意味的なものの関連付けの指示を繰り返し、オーサリング部１１１は上記の処理を繰り返す。
【００２１】
次に、教材作成担当教官はメタデータの貼り付けや関連付けが完了したことを確認し、オーサリング部１１１に編集した動画データと、意味的データである「セクション名：テニスストローク講座」と、メタデータインスタンスと、素材インスタンスとをサーバ１２０へ送信することを指示する。
オーサリング部１１１は、意味的データである「セクション名：テニスストローク講座」と、メタデータインスタンスと、素材インスタンスと、編集した動画データとをサーバ１２０へ送信する。サーバ１２０は意味的データである「セクション名：テニスストローク講座」と、メタデータインスタンスと、素材インスタンスと、編集した動画データとを動画データ編集装置１１０から受信し、メタデータインスタンスと、素材インスタンスと、を記憶領域へ書き込む。さらに、サーバ１２０は、編集した動画データを最終化動画１２１として記憶領域に書き込み、また、意味的データである「セクション名：テニスストローク講座」を、メタデータ１２２として記憶領域に書き込む。
【００２２】
＜最終化動画再生処理＞
この処理では、テニススクールの生徒からの指示を受けた動画データ再生装置１４０が、あるいは動画データ再生装置１３０が、サーバ１２０へ動画データやメタデータの送信を要求し、これを受信して再生を行うものである。
まず、生徒は動画データ再生装置１４０の専用プレイヤ部１４１に最終化動画１２１の再生を指示する。専用プレイヤ部１４１は生徒からの指示を受け、サーバ１２０に最終化動画１２１と、メタデータと、メタデータインスタンスと、素材インスタンスとの送信を要求する。サーバ１２０は専用プレイヤ部１４１の指示を受け、最終化動画１２１と、メタデータ１２２と、メタデータインスタンスと、素材インスタンスと、存在する場合にはメタデータ１２３とを記憶領域から読み出し、専用プレイヤ部１４１へ送信する。
【００２３】
専用プレイヤ部１４１はサーバ１２０からデータを受信して最終化動画１２１の再生を開始し、生徒からの指示を待つ。生徒は動画データ再生装置１４０の表示部を見ながら、ストロークに関する情報の参照を希望して、「テニスストローク講座」の文字列を動画データ再生装置１４０に入力し、「テニスストローク講座」の頭出しを専用プレイヤ部１４１に指示する。専用プレイヤ部１４１は生徒の指示を受け、メタデータである「セクション名：テニスストローク講座」を参照し、生徒の要求する最終化動画１２１中のデータであると判断し、メタデータインスタンスと、素材インスタンスとを参照し、先ほど教材作成担当教官がビットマップ画像「テニスストローク講座」の貼り付けを指示した画面を動画データ再生装置１４０の表示部に表示する。
【００２４】
続いて、生徒は最終化動画１２１の再生中に図１０のように「ここは重要！」というコメントを「テニスストローク講座」のビットマップ画像の下部へ付加するよう専用プレイヤ部１４１に要求する。これを受けて専用プレイヤ部１４１は「ここは重要！」の文字列を表すビットマップ画像のデータを生成し、このビットマップ画像のデータと、「テニスストローク講座」のビットマップ画像の下部の座標と、最終化動画１２１の最初から当該シーンまでの時間とをサーバ１２０へ送信して最終化動画１２１への「ここは重要！」を表す絵的データであるメタデータの付加を要求する。サーバ１２０はデータを受信し、メタデータとして「ここは重要！」のビットマップ画像データを記憶領域に格納し、新たにメタデータインスタンスを生成して「テニスストローク講座」のビットマップ画像の表示される座標と時間とを書き込んで、最終化動画１２１との関連付けを行い、メタデータインスタンスを記憶領域へ書き込む。
この後、他の生徒が最終化動画１２１を再生する場合には、専用プレイヤ部１４１を使用すると、「テニスストローク講座」のビットマップ画像が表示されるシーンでは「ここが重要！」のビットマップ画像も表示される。
【００２５】
また、生徒が動画データ再生装置１３０の汎用プレイヤ部１３１に最終化動画１２１の再生を指示する場合には、汎用プレイヤ部１３１は生徒の指示を受け、サーバ１２０に最終化動画１２１の送信を要求する。汎用プレイヤ部１３１は動画データの再生機能のみを持つため、最終化動画１２１以外のデータ、例えばメタデータなどについては要求しない。サーバ１２０は汎用プレイヤ部１３１の要求を受信し、最終化動画１２１を記憶領域から読み出し、汎用プレイヤ部１３１へ送信する。汎用プレイヤ部１３１はこれを受信して再生する。この場合、「テニスストローク講座」は表示されるが、意味的メタデータである「セクション名：テニスストローク講座」を使用した頭出しや、メタデータとして追加された「ここは重要！」の表示は行われない。
【００２６】
以上、図面を参照して本発明の実施形態について詳述してきたが、具体的な構成はこれらの実施の形態に限られるものではなく、この発明の要旨を逸脱しない範囲の設計変更等も含まれる。
例えば、図１１のような画面を、教材作成担当教官がオーサリング部１１１を使用する場合に表示しても良い。教材作成担当教官は外部のキャプチャ装置などを使用して動画データを得て、動画データ編集装置１１０へ入力し、オーサリング部１１１にこの動画の編集を指示する。オーサリング部１１１は図１１の画面を動画データ編集装置１１０に表示させる。この画面上には記憶領域中のメタデータの一覧を表すメタデータカタログがあり、予め「ここは重要」などのメタデータの一覧が用意されており、教材作成担当教官はドラッグアンドドロップの操作を行うことにより、直感的に動画にメタデータを貼り付けることができる。また、メタデータの概要を説明するメタデータインデックスも同画面には表示され、教材作成担当教官はメタデータの意味内容を確認しながら最終化動画１２１の作成が可能となる。また、教材作成担当教官は図１１の画面からサーバ１２０への最終化動画１２１やメタデータなどのアップロードを指示する。これにより、教材作成担当教官は動画データ編集装置１１０への一連の操作をシームレスに行うことができる。
【００２７】
また、生徒が動画データ再生装置１４０を使用する際に、専用プレイヤ部１４１は図１２の画面９０１を表示しても良い。生徒は画面９０１を使用して、例えば、専用プレイヤ部１４１がコンテンツデータ再生中に、「ここは重要」などのメタデータの一覧が表示されたメタデータカタログからメタデータを選択し、ドラッグアンドドロップの操作を行うことにより、直感的にコンテンツにメタデータを貼り付けることができる（図１２の丸付き数字１「ドラッグ＆ドロップ」）。専用プレイヤ部１４１は丸付き数字１でドラッグアンドドロップされたメタデータと、貼り付け対象の動画の座標と、時間とをサーバ１２０へ送信する。サーバ１２０は動画データ再生装置１４０の専用プレイヤ部１４１からデータを受信し、このメタデータと、貼り付け対象の動画の座標と、時間との情報を含む新たに生成したメタデータインスタンスとを記憶領域に格納する（図１２の丸付き数字２「メタデータをサーバに登録」）。その後、他のパソコンが他の生徒から当該コンテンツの再生要求を受けた場合、このパソコンはサーバ１２０へ最終化動画データと、メタデータと、メタデータインスタンスとの送信を要求してこれらのデータを受信し（図１２の丸付き数字３「メタデータをサーバから配信」）、画面９０２のように表示する。この際、先ほど追加されたメタデータも表示される（図１２の丸付き数字４「反映される」）。
【００２８】
また、本実施の形態ではテニススクールでのシステムの利用を例としたが、他にも例えば、企業研修や学校における教材作成やこの使用などにおいても利用が可能である。
【図面の簡単な説明】
【００２９】
【図１】本発明の実施の形態による動画データ提供システムのブロック図である。
【図２】メタデータの説明のための図である。
【図３】従来のシステムにおけるメタデータと動画データとの関係を表す図である。
【図４】従来のシステムにおけるメタデータと動画データのデータ構成を表す図である。
【図５】従来のシステムにおけるメタデータの動画データへの貼り付け処理を表す図である
【図６】従来のシステムにおける動画データとメタデータの関連を表す図である。
【図７】従来のシステム構成を表す図である
【図８】本実施の形態における絵的なデータの動画データへの貼り付けにおけるデータ構造を表す図である。
【図９】本実施の形態における意味的なデータの絵的なデータへの貼り付けにおけるデータ構造を表す図である。
【図１０】本実施の形態における意味的なデータの絵的なデータへの貼り付けにおけるデータ構造を表す図である。
【図１１】本実施の形態におけるオーサリング部１１１の画面を表す図である
【図１２】本実施の形態における専用プレイヤ部１４１の画面を表す図である
【図１３】本実施の形態におけるデータの関連を表す図である
【符号の説明】
【００３０】
１１０…動画データ編集装置
１３０、１４０…動画データ再生装置
１２０…サーバ
１１１…オーサリング部
１１２…ベース動画
１２１…最終化動画
１２２…メタデータ
１２３…メタデータ
１３１…汎用プレイヤ部
１４１…専用プレイヤ部
９０１、９０２…画面
【図１】
2005236621.tif 000003
【図２】
2005236621.tif 000004
【図３】
2005236621.tif 000005
【図４】
2005236621.tif 000006
【図５】
2005236621.tif 000007
【図６】
2005236621.tif 000008
【図７】
2005236621.tif 000009
【図８】
2005236621.tif 000010
【図９】
2005236621.tif 000011
【図１０】
2005236621.tif 000012
【図１１】
2005236621.tif 000013
【図１２】
2005236621.tif 000014
【図１３】
2005236621.tif 000015